(57)【要約】【課題】ブロック継手並びに同継手を備えたブロック形の膨張弁の周囲に接触のシール材との間に発生する隙間を抑えることを目的とする。【解決手段】空調ケース１内に収納されたエバポレータの継手を備えたブロック形の膨張弁６が該空調ケース１に形成の開口部８に臨まされる。この継手を備えたブロック形の膨張弁６と開口部８との間に配されるシール材２０の内側の接触部２２が前記継手を備えたブロック形の膨張弁６の周囲に接触され、その外側の取付部２４が前記空調ケース１の開口部８に取付られる。前記シール材２０は軟性部材より成るが、この軟性部材よりも堅いフレーム２７が該シール材内に埋め込まれる。【選択図】            図１
2004237783.tif 000002
【特許請求の範囲】
【請求項１】
空調ケース内に収納されたエバポレータに固定のブロック形の継手が該空調ケースに形成の開口部に臨まされると共に、該ブロック形の継手の外周にシール材の内側を接触させ、且つその外側を前記開口部に取付け、このシール材にフレームが埋め込まれていることを特徴とするブロック形の継手のシール装置。
【請求項２】
ブロック形の継手はブロック形膨張弁に一体化されていることを特徴とする請求項１記載のブロック形の継手のシール装置。
【請求項３】
シール材は中央に前記ブロック形の継手の外形とほぼ等しい挿入穴が形成されると共に、その挿入穴には適宜な押さえしろを持つことを特徴とする請求項１又は２記載のブロック形の継手のシール装置。
【請求項４】
シール材はゴムなどの軟性部材により製造されたことを特徴とする請求項１又は３記載のブロック形の継手のシール装置。
【請求項５】
シール材に埋め込まれたフレームは、樹脂製で、前記シール材より堅い材質により製造されたことを特徴とする請求項１又は３記載のブロック形の継手のシール装置。
【請求項６】
シール材は、外側に空調ケースに取付るための取付部を有すると共に、内側に膨張弁の外周に接触の接触部を持つことを特徴とする請求項１又は３記載のブロック形の継手のシール装置。
【請求項７】
シール材の取付部は、前記空調ケースの開口部に取付られた保護カバーに取付られていることを特徴とする請求項６記載のブロック形の継手のシール装置。
【請求項８】
シール材の取付部と接触部との接続部分は、変形が可能な構造となっていることを特徴とする請求項６記載のブロック形の継手のシール装置。
【請求項９】
前記変形が可能な構造とは、軟性部材であることを特徴とする請求項８記載のブロック形の継手のシール装置。
【請求項１０】
前記変形が可能な構造とは、接続部分にたるみを持たせたことを特徴とする請求項８記載のブロック形の継手のシール装置。
【請求項１１】
前記接触部には、空調ケースの内側よりの傾斜面を持つことを特徴とする請求項６記載のブロック形の継手のシール装置。
【請求項１２】
前記保護カバーは、空調ケースの開口部に取付られると共に、仕切パネルに形成の貫通孔に気密材を介して接続されることを特徴とする請求項７記載のブロック形の継手のシール装置。
【発明の詳細な説明】
【０００１】
【発明の属する技術分野】
この発明は、空調装置に収納されたエバポレータに固着のブロック形の継手並びに同継手を備えたブロック形の膨張弁と空調ケースに形成の開口とのシール装置に関するものである。
【０００２】
【従来の技術】
従来、自動車用空調装置の冷却手段となるエバポレータに継手を備えたブロック形の膨張弁が採用されてきており、この継手を備えたブロック形の膨張弁は、前記エバポレータに固定されており、空調ケース内にエバポレータが組付られると、該継手を備えたブロック形の膨張弁は、空調ケースに形成の開口部に臨まされる。そして、継手を備えたブロック形の膨張弁と開口部とがシール材で密閉されるが、例えば、特許文献１にあっては、継手を備えたブロック形の膨張弁の一端部位をクーリングユニット１の開口部６から突出させて、この突出部位の外周をシール部材３６で囲むと共に、クーリングユニット１及びダッシュパネル８の開口部８，９を前記シール部材３６を含めた継手を備えたブロック形の膨張弁３の外形状より相対的に大きく形成し、前記シール部材３６の外周を第２のシール部材３７で更に囲み、このシール部材３７は、その外形状が前記開口部６，９よりも相対的に大きく形成されると共にその中心に前記シール部材３６の外形状より相対的に小さな孔３８を形成している。
【０００３】
【特許文献１】特開２００２−１７２９２８
【０００４】
【発明が解決しようとする課題】
前記した継手を備えたブロック形の膨張弁は、エバポレータに固定されており、空調ケース内に組付られることで、該継手を備えたブロック形の膨張弁が空調ケースの開口部に臨まされる。したがって、空調ケース自体が樹脂で射出成型されて製造される関係から製品の誤差（バラツキ）が大きく、ゆがみなどがあれば継手を備えたブロック形の膨張弁の開口部との位置が相対的にずれが生じることとなる。
【０００５】
しかしながら、継手を備えたブロック形の膨張弁が片寄ってしまった場合に、前述したようなシール構造を採用すれば、シール部材３６とシール部材３７との間に隙間が生じる結果となり、シール効果がなくなり、雨水やエンジンルーム内の熱等が侵入してしまう欠点が生じるようになる。即ち、継手を備えたブロック形の膨張弁の位置ずれをシール材で吸収することができなかった。また、膨張弁自体がブロック形で直線的な面が多く、シール材３６に片寄った力が働くと、一方に隙間が生じることになり、シールが難しい形状であった。
【０００６】
そこで、この発明は継手を備えたブロック形の膨張弁のみならず単独のブロック形の継手とシール材との間に発生する隙間を抑えるシール構造を提供するものである。
【０００７】
【課題を解決するための手段】
この発明に係るブロック形の継手のシール装置は、空調ケース内に収納されたエバポレータに固定のブロック形の継手が該空調ケースに形成の開口部に臨まされると共に、該ブロック形の膨張弁の外周にシール材の内側を接触させ、且つその外側を前記開口部に取付け、このシール材にフレームが埋め込まれていることにある（請求項１）。したがって、ブロック形の継手の外周にシール材が接触されるが、このシール材の挿入穴の周囲に埋め込まれたフレームによって、該シール材に不均等な外力が付加されても挿入穴の形状が保たれ、したがって、直線的な面を持つブロック形の継手との間に隙間を作らない。
【０００８】
ブロック形の継手はブロック形膨張弁に一体化されていることにあり（請求項２）、独立しても、又は膨張弁に一体化しても良いもので、このシール装置が採用できる。
【０００９】
シール材は、中央に前記ブロック形の継手の外形とほぼ等しい挿入穴が形成されると共に、その挿入穴には適宜な押さえしろを持つことにある（請求項３）。これにより、押さえしろによっても隙間の発生を抑えることができる。
【００１０】
シール材はゴム等の軟性部材により製造される（請求項４）。シール材に埋め込まれたフレームは、樹脂製で、前記シール材より堅い材質より製造されたことにある（請求項５）。これにより、挿入孔まわりに配されたシール材より堅いフレームにて、該挿入孔の形状の変形が防がれることから、外力にてもブロック形の継手まわりに隙間の発生が防がれる。
【００１１】
シール材は外側に空調ケースに取付けるための取付部を有すると共に、内側である挿入孔にブロック形の継手の外周に接触の接触部を持っている（請求項６）。そして、シール材の取付部と接触部との接続部分は、変形が可能な構造となっている（請求項８）ことから、開口部とブロック形の継手との位置関係がずれたとしても、接続部分は変形して対応し、ブロック形の継手との隙間を作らない。具体的には、軟性部材であったり（請求項９）、接続部分にたるみを持たせることにある（請求項１０）。
【００１２】
前記した接触部には、空調ケースの内側よりの傾斜面を持つこと（請求項１１）ことから、ブロック形の継手を空調ケースの内側からシール材の挿入孔への挿入をしやすくしている。
【００１３】
シール材の取付部は、前記空調ケースの開口部に取付られた保護カバーに取付られている（請求項７）。したがって、ブロック形の継手を保護するためのカバーを介して取付部が空調ケースの開口部に取付られる。また、保護カバーは、空調ケースの開口部に取付られると共に、仕切パネルに形成の貫通孔に気密材を介して接続されている（請求項１２）。
【００１４】
【発明の実施の形態】
以下、この発明の実施の形態を図面にもとづいて説明する。
【００１５】
図１，図２において、この発明の実施の形態が示され、空調ケース１内には、導入空気を冷却するエバポレータ２が所望の場所に配置され、該エバポレータ２には、冷媒が流入される流入口３及び流出口４が一方側に形成されている。この流入口３及び流出口４には、コネクタ５を介して継手を備えたブロック形の膨張弁６が取付られている。
【００１６】
この継手を備えたブロック形の膨張弁６は、公知構造の膨張弁本体が組込まれた直方体のブロックと、このブロックに形成の配管接続用の継手７が備えられており、エバポレータ２に固定された状態にて空調ケース１に配置されることから、該継手を備えたブロック形の膨張弁６は空調ケース１に形成の開口部８に臨まれることになる。そして、継手を備えたブロック形の膨張弁６と開口部８とは下記のようにシールされる。
【００１７】
空調ケース１の開口部８には、図５にも斜視図で示すように、保護ケース９が嵌合されている。この保護ケース９は、長円形の本体１０と、この本体１０の外周に輪状の突片１１と、これに並設の押さえ片１２とが形成されると共に、内周に輪状の突片１３が形成されている。このため、前記突片１１と押さえ片１２とで、前記空調ケース１を挟んで開口部８に取付られ、また、内側の突片１３には下記するシール材２０が取付られている。
【００１８】
なお、保護カバー９は、その一端がエンジンルーム１５と車室内１６とを分ける仕切パネル１７に形成の貫通穴１８に至り、多孔質のウレタン等の気密材１９を介して貫通穴１８の気密の保持がなされている。
【００１９】
シール材２０は、ゴム等の可撓性を有する軟性部材で製造され、図５にも明らかなように中央に前記継手を備えたブロック形の膨張弁の外形とほぼ均しい形状の挿入穴２１が形成されている。この挿入穴２１は継手を備えたブロック形の膨張弁の外周に接触する接触部２２ともなっている。この接触部２２には、１ｍｍ以下の押さえしろが設けられていると共に、継手を備えたブロック形の膨張弁の挿入側（内側）から傾斜面２３が形成されている。この傾斜面２３により継手を備えたブロック形の膨張弁６の挿入が容易となるものである。
【００２０】
また、シール材２０の取付部２４は、外周に環状の嵌合溝２５を持っており、前記した保護カバー９の突片１３が嵌入している。即ち、シール材２０は保護カバー９を介して空調ケース１に取付られることになる。前記接触部２２と取付部２４との間は円筒状の接続部２６により一体化され、外力にて変形が可能な構造となっている。なお、取付部２４は前記実施の形態に限らず、保護カバー９に取付られる構造であれば良い。
【００２１】
さらに、接続部２６は、図示しないが、軟性部材で製造され、しかもたるみを持たせるようにすれば、一方が伸び他方が縮んで継手を備えたブロック形の膨張弁６の取付位置のバラツキを充分に吸収できるものである。
【００２２】
最後に、シール材２０には、前記挿入穴２１に周囲で前記接触部２２内にフレーム２７が埋め込まれている。このフレーム２７は図６に斜視図として示され、樹脂で成形され、前記シール材より堅く、所望する形状で、シール材２０の成形時にインサートされる。このインサート（埋め込まれる）された状態が図３，図４に断面図として示されている。このフレーム２７が挿入穴２１の周囲に配されることで、挿入穴２１が外力によっても変形しない作用が得られるものである。
【００２３】
上述の構成において、まず保護カバー９を空調ケース１の開口部８にその突片１１と押さえ片１２を利用して取付ける。そして、シール材２０を保護カバー９の内側に取付部２４を用いて突片１３に被嵌して取付ける。すると、シール材２０の挿入穴２１内にエバポレータ２が空調ケース１に組込まれた際に、継手を備えたブロック形の膨張弁６一端が挿入される。挿入時に継手を備えたブロック形の膨張弁を押し込むことでシール材２０と密着し、気密が保たれる。
【００２４】
仮にエバポレータ２の空調ケース１への取付にバラツキで片寄りが生じても、シール材２０の接続部２６が一方で伸び他方で縮んでバラツキを吸収すると共に、継手を備えたブロック形の膨張弁６の片寄りによるシール材２０が一方向へ引っ張られてもフレーム２７によって、挿入孔２１が所定の形状に維持されることから、継手を備えたブロック形の膨張弁６とシール材２０との間に隙間を生じることが起きない利点を持つものである。なお、空調装置が車両に組付られた後に、エンジンルーム側から冷媒配管が前記継手を備えたブロック形の膨張弁に接続される。
【００２５】
前述した実施の形態に限らず、膨張弁とは分離したブロック形の継手にも採用できることは勿論である。図示しないがブロック形の継手も直線的な面を持ち、該直線的な面にシール材２０が充分に密着してシールできるものである。
【００２６】
【発明の効果】
以上のように、この発明によれば、ブロック形の継手の外周にシール材が接触されるが、このシール材の挿入穴の周囲に埋め込まれたフレームによって、該シール材に外部から不均等な力が加わっても、挿入穴の形状が維持され、ブロック形の継手まわりに隙間の発生を抑える効果を奏する（請求項１）。そして、ブロック形の継手はブロック形の膨張弁と一体化されても良く、その場合でも上記の作用効果を得ることができる（請求項２）。
【００２７】
挿入穴に押さえしろを持っており、シール材のブロック形の膨張弁に対する密着性は高い（請求項３）。またシール材は軟性部材で製造され、シール材に埋め込まれたフレームは樹脂製で、シール材より堅い材質から外力が加わっても挿入穴の変形が防がれ、ブロック形の継手まわりの隙間の発生が防がれる（請求項４，５）。
【００２８】
シール材は、外側に空調ケースに取付けるための取付部を、内側にブロック形の継手の外周に接触の接触部を持ち（請求項６）、前記取付部を接触部との間の接続部は、変形が可能な構造となっていて、ブロック形の継手の開口部への位置がずれたとしても、該接続部が変形して対応してしまい、ブロック形の継手との間に隙間を作ることがない（請求項８，９，１０）効果を奏する。
【図面の簡単な説明】
【図１】この発明の実施の形態を示す断面図である。
【図２】同上の切断面を異にする断面図である。
【図３】シール材の一部分の拡大断面図である。
【図４】同じくシール材の他の部分の拡大断面図である。
【図５】シール材と保護カバーとの分離した状態の斜視図である。
【図６】フレームの斜視図である。
【符号の説明】
１  空調ケース
２  エバポレータ
６  継手を備えたブロック形の膨張弁
８  開口部
９  保護ケース
１７  仕切パネル
１８  貫通孔
２０  シール材
２１  挿入穴
２２  接触部
２４  取付部
２６  接続部
【図１】
2004237783.tif 000003
【図２】
2004237783.tif 000004
【図３】
2004237783.tif 000005
【図４】
2004237783.tif 000006
【図５】
2004237783.tif 000007
【図６】
2004237783.tif 000008